(57)【要約】  本開示の態様は、ユーザ機器（ＵＥ）によるワイヤレス通信のための技法それを提供した。ＵＥによって実行される例示的な方法は、概して、測定プロシージャ中の基準信号の測定に基づいて、チャネル状態を示す１つまたは複数のメトリックの測定を向上させるために使用するリソースの追加のセットを決定することと、ここにおいて、リソースの追加のセットが、１つまたは複数のメトリックを測定するために使用されるリソースの定義されたセットの他のものである、基準信号と、リソースの追加のセットと、１つまたは複数の測定パラメータとに少なくとも基づいて、測定プロシージャを実行することとを含む。
2018509077.tif 000002
【特許請求の範囲】
【請求項１】
ユーザ機器（ＵＥ）によるワイヤレス通信のための方法であって、
測定プロシージャ中の基準信号の測定に基づいて、チャネル状態を示す１つまたは複数のメトリックの測定を向上させるために使用するリソースの追加のセットを決定すること、ここにおいて、リソースの前記追加のセットが、前記１つまたは複数のメトリックを測定するために使用されるリソースの定義されたセットの他のものである、と、
前記基準信号と、リソースの前記追加のセットと、１つまたは複数の測定パラメータとに少なくとも基づいて、前記測定プロシージャを実行することと、
を備える、方法。
【請求項２】
前記１つまたは複数のメトリックが、信号対雑音（ＳＮＲ）測定、基準信号受信電力（ＲＳＲＰ）測定、または経路損失測定のうちの少なくとも１つを備える、請求項１に記載の方法。
【請求項３】
１つまたは複数のトリガ条件に基づいて、前記測定プロシージャをいつ実行すべきかを決定することをさらに備え、ここにおいて、前記測定プロシージャは、前記１つまたは複数のトリガ条件が満たされる場合のみ実行される、請求項１に記載の方法。
【請求項４】
前記１つまたは複数のトリガ条件が、しきい値量の時間を超える１つまたは複数のチャネルの処理、またはしきい値数の復号試みを超える１つまたは複数のチャネルの処理のうちの少なくとも１つを備える、請求項３に記載の方法。
【請求項５】
前記１つまたは複数のトリガ条件が、明示的または暗黙的ネットワーク指示を受信することを備える、請求項３に記載の方法。
【請求項６】
前記暗黙的ネットワーク指示が、物理レイヤチャネルのバンドリングまたは繰返しを用いて構成されることを備える、請求項５に記載の方法。
【請求項７】
リソースの前記追加のセットが追加の基準信号を備える、請求項１に記載の方法。
【請求項８】
リソースの前記追加のセットが、非ＭＢＳＦＮ（マルチキャストブロードキャスト単一周波数ネットワーク）サブフレーム中で送信される、請求項７に記載の方法。
【請求項９】
リソースの前記追加のセットが少なくとも１つのブロードキャストリソースを備え、ここにおいて、前記ブロードキャストリソースが、物理ブロードキャストチャネル（ＰＢＣＨ）またはマスタ情報ブロック（ＭＩＢ）のうちの少なくとも１つを備える、請求項１に記載の方法。
【請求項１０】
前記ブロードキャストリソースが正常に復号された場合、リソースの前記追加のセットに基づいて向上された測定を実行すると決定することをさらに備える、請求項９に記載の方法。
【請求項１１】
前記基準信号に対する前記ブロードキャストリソースの送信電力の差を補償するためにスケーリングを実行することをさらに備える、請求項９に記載の方法。
【請求項１２】
前記ブロードキャストリソースと基準信号とが同じ電力で送信されるかどうか、
前記基準信号に対する前記ブロードキャストリソースの送信電力の差、または
送信電力の前記差が当てはまるブロードキャストリソースのタイプ、
のうちの少なくとも１つを示すシグナリングを受信することをさらに備える、請求項９に記載の方法。
【請求項１３】
前記シグナリングが、システム情報ブロック中の１つまたは複数のビットを介して与えられる、請求項１２に記載の方法。
【請求項１４】
少なくとも１つの条件に基づいて、前記１つまたは複数の測定パラメータを決定することと、
前記測定プロシージャを実行することから取得された１つまたは複数のメトリックに基づいて、１つまたは複数の送信パラメータを選択することと、
をさらに備える、請求項１に記載の方法。
【請求項１５】
前記１つまたは複数の送信パラメータが、送信のために使用される送信電力または繰返し数のうちの少なくとも１つを備える、請求項１４に記載の方法。
【請求項１６】
前記少なくとも１つの条件は、前記ＵＥがアクセスプロシージャを実行したか否かに関係する、請求項１４に記載の方法。
【請求項１７】
前記１つまたは複数の測定パラメータがサンプリングレートを備え、
前記１つまたは複数の測定パラメータを決定することは、前記アクセスプロシージャの後に使用されるサンプリングレートに対して、前記アクセスプロシージャを実行するより前により高いサンプリングレートが使用されるように、サンプリングレートを選択することを備える、
請求項１６に記載の方法。
【請求項１８】
前記１つまたは複数の測定パラメータがサンプリングレートを備え、
前記１つまたは複数の測定パラメータを決定することは、前記アクセスプロシージャの後に使用される平均化プロシージャに対して、前記アクセスプロシージャを実行するより前により長い平均化期間が使用されるように、基準信号測定値がそれにわたって平均化される平均化期間を選択することを備える、
請求項１６に記載の方法。
【請求項１９】
前記平均化期間は、前記アクセスプロシージャの後に前記基準信号がそれにわたって測定されるサブフレームの数に対して、前記アクセスプロシージャを実行するより前により多数のサブフレームにわたって基準信号測定値が平均化されるように選択される、請求項１８に記載の方法。
【請求項２０】
前記少なくとも１つの条件が、１つまたは複数の前の測定結果に少なくとも部分的に基づく、請求項１４に記載の方法。
【請求項２１】
前記１つまたは複数の測定パラメータがサンプリングレートを備え、
前記１つまたは複数の測定パラメータを決定することは、１つまたは複数の前の測定結果が、しきい値を下回る基地局に対する経路損失を示す場合、より低いサンプリングレートが使用されるように、サンプリングレートを選択することを備える、
請求項２０に記載の方法。
【請求項２２】
前記少なくとも１つの条件が、前または現在の測定結果に少なくとも部分的に基づく、請求項２０に記載の方法。
【請求項２３】
前記決定することが、１つまたは複数の前の測定値対する現在の基準信号受信電力（ＲＳＲＰ）測定値の差異に少なくとも部分的に基づいて、１つまたは複数の測定パラメータのセットを選択することを備える、請求項２２に記載の方法。
【請求項２４】
前記１つまたは複数の送信パラメータを選択することが、
前または現在の基準信号受信電力（ＲＳＲＰ）測定値に基づいて、１つまたは複数の送信パラメータの異なるセットから１つまたは複数の送信パラメータのセットを選択すること、
を備える、請求項２０に記載の方法。
【請求項２５】
１つまたは複数の送信パラメータの各セットが、ＲＳＲＰ測定値の範囲に関連付けられる、請求項２４に記載の方法。
【請求項２６】
前記１つまたは複数の測定パラメータが、ＲＳＲＰ測定値の範囲間の境界へのＲＳＲＰ測定値の近接度に少なくとも部分的に基づいて決定される、請求項２５に記載の方法。
【請求項２７】
測定プロシージャ中の基準信号の測定に基づいて、チャネル状態を示す１つまたは複数のメトリックの測定を向上させるために使用するリソースの追加のセットを決定すること、ここにおいて、リソースの前記追加のセットが、前記１つまたは複数のメトリックを測定するために使用されるリソースの定義されたセットの他のものである、と、
前記基準信号と、リソースの前記追加のセットと、１つまたは複数の測定パラメータとに少なくとも基づいて、前記測定プロシージャを実行することと、
を行うように構成された少なくとも１つのプロセッサと、
前記少なくとも１つのプロセッサと結合されたメモリと、
を備える、ワイヤレス通信のための装置。
【請求項２８】
基地局（ＢＳ）によるワイヤレス通信のための方法であって、
測定プロシージャ中の基準信号の測定に基づいて、チャネル状態を示す１つまたは複数のメトリックのユーザ機器（ＵＥ）による測定を向上させるために使用するリソースの追加のセットを決定すること、ここにおいて、リソースの前記追加のセットが、前記１つまたは複数のメトリックを測定するために使用されるリソースの定義されたセットの他のものである、と、
リソースの前記追加のセットに関する情報を前記ＵＥに送信することと、
を備える、方法。
【請求項２９】
測定プロシージャ中の基準信号の測定に基づいて、チャネル状態を示す１つまたは複数のメトリックのユーザ機器（ＵＥ）による測定を向上させるために使用するリソースの追加のセットを決定すること、ここにおいて、リソースの前記追加のセットが、前記１つまたは複数のメトリックを測定するために使用されるリソースの定義されたセットの他のものである、と、
リソースの前記追加のセットに関する情報を前記ＵＥに送信することと、
を行うように構成された少なくとも１つのプロセッサと、
前記少なくとも１つのプロセッサと結合されたメモリと、
を備える、ワイヤレス通信のための装置。
【発明の詳細な説明】
【技術分野】
【０００１】
米国特許法第１１９条に基づく優先権の主張
[0001]本出願は、そのすべてが、それらの全体が参照により本明細書に組み込まれる、２０１５年２月１１日に出願された米国仮特許出願第６２／１１５，１１０号および２０１５年５月１９日に出願された米国仮特許出願第６２／１６３，９５１号の利益および優先権を主張する、２０１６年２月１０日に出願された米国出願第１５／０４０，７９４号の優先権を主張する。
【０００２】
[0002]本開示のいくつかの態様は、一般にワイヤレス通信に関し、より詳細には、カバレージ向上（coverage enhancement）を伴うマシンタイプ通信（ＭＴＣ：machine type communication）デバイスなど、いくつかのワイヤレスデバイスのための基準信号受信電力（ＲＳＲＰ：reference signal received power）および経路損失測定に関する。
【背景技術】
【０００３】
[0003]ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ（登録商標）：3rd Generation Partnership Project）ロングタームエボリューション（ＬＴＥ（登録商標）：Long Term Evolution）／ＬＴＥアドバンストシステムおよび直交周波数分割多元接続（ＯＦＤＭＡ）システムがある。
【０００４】
[0004]概して、ワイヤレス多元接続通信システムは、複数のワイヤレス端末のための通信を同時にサポートすることができる。各端末は、順方向リンクおよび逆方向リンク上での送信を介して１つまたは複数の基地局と通信する。順方向リンク（またはダウンリンク）は基地局から端末への通信リンクを指し、逆方向リンク（またはアップリンク）は端末から基地局への通信リンクを指す。この通信リンクは、単入力単出力、多入力単出力または多入力多出力（ＭＩＭＯ）システムを介して確立され得る。
【０００５】
[0005]ワイヤレス通信ネットワークは、いくつかのワイヤレスデバイスのための通信をサポートすることができるいくつかの基地局を含み得る。ワイヤレスデバイスはユーザ機器（ＵＥ）を含み得る。ＵＥのいくつかの例としては、セルラーフォン、スマートフォン、携帯情報端末（ＰＤＡ）、ワイヤレスモデム、ハンドヘルドデバイス、タブレット、ラップトップコンピュータ、ネットブック、スマートブック、ウルトラブックなどがあり得る。いくつかのＵＥは、基地局、別のリモートデバイス、または何らかの他のエンティティと通信し得る、センサー、メーター、ロケーションタグなどのリモートデバイスを含み得る、マシンタイプ通信（ＭＴＣ）ＵＥと見なされ得る。マシンタイプ通信（ＭＴＣ）は、通信の少なくとも１つの末端上の少なくとも１つのリモートデバイスに関与する通信を指すことがあり、必ずしも人間の対話を必要とするとは限らない１つまたは複数のエンティティを伴うデータ通信の形態を含み得る。ＭＴＣ  ＵＥは、たとえば、パブリックランドモバイルネットワーク（ＰＬＭＮ）を介した、ＭＴＣサーバおよび／または他のＭＴＣデバイスとのＭＴＣ通信が可能であるＵＥを含み得る。
【０００６】
[0006]ネットワークがマルチメディアブロードキャストマルチキャストサービス（ＭＢＭＳ：Multimedia Broadcast Multicast Service）を用いて構成されるのか、マルチブロードキャスト単一周波数ネットワーク（ＭＢＳＦＮ：Multi-Broadcast Single Frequency Network）を用いて構成されるのかが未知であるときに、ＭＴＣサービスのためのカバレージ向上を伴うＭＴＣデバイスのＳＩＢ収集を向上させるために、ネットワークの帯域幅およびモードが、システムデータを収集するためのタイミングを決定するために使用され得る。
【発明の概要】
【０００７】
[0007]本開示のいくつかの態様は、マシンタイプ通信（ＭＴＣ）ＵＥなど、いくつかのデバイスによる基準信号受信電力（ＲＳＲＰ）および経路損失測定のための技法および装置を提供する。
【０００８】
[0008]本開示のいくつかの態様は、ユーザ機器（ＵＥ）によるワイヤレス通信のための方法を提供する。本方法は、概して、測定プロシージャ中の基準信号の測定に基づいて、チャネル状態を示す１つまたは複数のメトリック（metric）の測定を向上させるために使用するリソースの追加のセットを決定することと、ここにおいて、リソースの追加のセットが、１つまたは複数のメトリックを測定するために使用されるリソースの定義されたセットの他のものである、基準信号と、リソースの追加のセットと、１つまたは複数の測定パラメータとに少なくとも基づいて、測定プロシージャを実行することとを含む。
【０００９】
[0009]本開示のいくつかの態様は、ワイヤレス通信のための装置を提供する。本装置は、概して、測定プロシージャ中の基準信号の測定に基づいて、チャネル状態を示す１つまたは複数のメトリックの測定を向上させるために使用するリソースの追加のセットを決定することと、ここにおいて、リソースの追加のセットが、１つまたは複数のメトリックを測定するために使用されるリソースの定義されたセットの他のものである、基準信号と、リソースの追加のセットと、１つまたは複数の測定パラメータとに少なくとも基づいて、測定プロシージャを実行することとを行うように構成された少なくとも１つのプロセッサを含む。本装置はまた、少なくとも１つのプロセッサと結合されたメモリを含む。
【００１０】
[0010]本開示のいくつかの態様は、ワイヤレス通信のための装置を提供する。本装置は、概して、測定プロシージャ中の基準信号の測定に基づいて、チャネル状態を示す１つまたは複数のメトリックの測定を向上させるために使用するリソースの追加のセットを決定するための手段と、ここにおいて、リソースの追加のセットが、１つまたは複数のメトリックを測定するために使用されるリソースの定義されたセットの他のものである、基準信号と、リソースの追加のセットと、１つまたは複数の測定パラメータとに少なくとも基づいて、測定プロシージャを実行するための手段とを含む。
【００１１】
[0011]本開示のいくつかの態様は、ワイヤレス通信のための非一時的コンピュータ可読媒体を提供する。本非一時的コンピュータ可読媒体は、概して、測定プロシージャ中の基準信号の測定に基づいて、チャネル状態を示す１つまたは複数のメトリックの測定を向上させるために使用するリソースの追加のセットを決定することと、ここにおいて、リソースの追加のセットが、１つまたは複数のメトリックを測定するために使用されるリソースの定義されたセットの他のものである、基準信号と、リソースの追加のセットと、１つまたは複数の測定パラメータとに少なくとも基づいて、測定プロシージャを実行することとを行うための命令を含む。
【００１２】
[0012]本開示のいくつかの態様は、基地局（ＢＳ）によるワイヤレス通信のための方法を提供する。本方法は、概して、測定プロシージャ中の基準信号の測定に基づいて、チャネル状態を示す１つまたは複数のメトリックのユーザ機器（ＵＥ）による測定を向上させるために使用するリソースの追加のセットを決定することと、ここにおいて、リソースの追加のセットが、１つまたは複数のメトリックを測定するために使用されるリソースの定義されたセットの他のものである、リソースの追加のセットに関する情報をＵＥに送信することとを含む。
【００１３】
[0013]本開示のいくつかの態様は、ワイヤレス通信のための装置を提供する。本装置は、概して、測定プロシージャ中の基準信号の測定に基づいて、チャネル状態を示す１つまたは複数のメトリックのユーザ機器（ＵＥ）による測定を向上させるために使用するリソースの追加のセットを決定することと、ここにおいて、リソースの追加のセットが、１つまたは複数のメトリックを測定するために使用されるリソースの定義されたセットの他のものである、リソースの追加のセットに関する情報をＵＥに送信することとを行うように構成された少なくとも１つのプロセッサを含む。
【００１４】
[0014]本開示のいくつかの態様は、ワイヤレス通信のための装置を提供する。本装置は、概して、測定プロシージャ中の基準信号の測定に基づいて、チャネル状態を示す１つまたは複数のメトリックのユーザ機器（ＵＥ）による測定を向上させるために使用するリソースの追加のセットを決定するための手段と、ここにおいて、リソースの追加のセットが、１つまたは複数のメトリックを測定するために使用されるリソースの定義されたセットの他のものである、リソースの追加のセットに関する情報をＵＥに送信するための手段とを含む。
【００１５】
[0015]本開示のいくつかの態様は、ワイヤレス通信のための非一時的コンピュータ可読媒体を提供する。本非一時的コンピュータ可読媒体は、概して、測定プロシージャ中の基準信号の測定に基づいて、チャネル状態を示す１つまたは複数のメトリックのユーザ機器（ＵＥ）による測定を向上させるために使用するリソースの追加のセットを決定することと、ここにおいて、リソースの追加のセットが、１つまたは複数のメトリックを測定するために使用されるリソースの定義されたセットの他のものである、リソースの追加のセットに関する情報をＵＥに送信することとを行うための命令を含む。
【００１６】
[0016]方法、装置、システム、コンピュータプログラム製品、および処理システムを含む多数の他の態様が提供される。
【図面の簡単な説明】
【００１７】
【図１】[0017]本開示のいくつかの態様による、ワイヤレス通信ネットワークの一例を概念的に示すブロック図。
【図２】[0018]本開示のいくつかの態様による、ワイヤレス通信ネットワークにおいてユーザ機器（ＵＥ）と通信している基地局の一例を概念的に示すブロック図。
【図３】[0019]本開示のいくつかの態様による、ワイヤレス通信ネットワークにおけるフレーム構造の一例を概念的に示すブロック図。
【図４】[0020]本開示のいくつかの態様による、ノーマルサイクリックプレフィックスをもつ２つの例示的なサブフレームフォーマットを概念的に示すブロック図。
【図５】[0021]本開示のいくつかの態様による、ｅＭＴＣのための例示的なサブフレーム構成を示す図。
【図６】[0022]本開示のいくつかの態様による、ユーザ機器によって実行され得る例示的な動作６００を示す図。
【図７】[0023]本開示のいくつかの態様による、基地局によって実行され得る例示的な動作７００を示す図。
【図８Ａ】[0024]本開示のいくつかの態様による、例示的な向上された測定プロシージャを示す図。
【図８Ｂ】本開示のいくつかの態様による、例示的な向上された測定プロシージャを示す図。
【発明を実施するための形態】
【００１８】
[0025]マシンタイプ通信（ＭＴＣ）ＵＥは、概して、無線リソース管理（ＲＲＭ：radio resource management）、セル選択または再選択のために必要とされる基準信号受信電力（ＲＳＲＰ）測定と、電力制御のために必要とされる経路損失測定と、カバレージ向上必要、およびランダムアクセスチャネル（ＲＡＣＨ：random access channel）バンドルサイズの選択を識別するために必要とされる経路損失測定とを行うことを要求され得る。しかしながら、低いＳＮＲにおいて、いくつかの動作制約により、チャネル測定精度がＭＴＣ  ＵＥにとって問題になり得る。したがって、本開示の態様は、ＭＴＣ  ＵＥのためのチャネル状態を示すメトリックの測定精度を改善するための技法を提供する。
【００１９】
[0026]本明細書で説明される技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上無線アクセス（ＵＴＲＡ）、ｃｄｍａ２０００など、無線技術を実装し得る。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形態を含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイル電気通信システム（ＵＭＴＳ）の一部である。周波数分割複信（ＦＤＤ）と時分割複信（ＴＤＤ）の両方における３ＧＰＰロングタームエボリューション（ＬＴＥ）およびＬＴＥ−アドバンスト（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明される技法は、上記のワイヤレスネットワークおよび無線技術、ならびに他のワイヤレスネットワークおよび無線技術のために使用され得る。明快のために、本技法のいくつかの態様が以下ではＬＴＥ／ＬＴＥアドバンストに関して説明され、以下の説明の大部分でＬＴＥ／ＬＴＥアドバンスト用語が使用される。ＬＴＥおよびＬＴＥ−Ａは、一般にＬＴＥと呼ばれる。
【００２０】
[0027]図１は、本開示の態様が実施され得る例示的なワイヤレス通信ネットワーク１００を示す。たとえば、本明細書で提示される技法は、チャネル状態を示すメトリックの測定を改善する際に、図１に示されているＵＥを支援するために使用され得る。
【００２１】
[0028]ネットワーク１００は、ＬＴＥネットワークまたは何らかの他のワイヤレスネットワークであり得る。ワイヤレスネットワーク１００は、いくつかの発展型ノードＢ（ｅＮＢ）１１０と他のネットワークエンティティとを含み得る。ｅＮＢは、ユーザ機器（ＵＥ）と通信するエンティティであり、基地局、ノードＢ、アクセスポイントなどと呼ばれることもある。各ｅＮＢは、特定の地理的エリアに通信カバレージを与え得る。３ＧＰＰでは、「セル」という用語は、この用語が使用されるコンテキストに応じて、ｅＮＢのカバレージエリアおよび／またはこのカバレージエリアをサービスしているｅＮＢサブシステムを指すことがある。
【００２２】
[0029]ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ）中のＵＥ）による制限付きアクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはフェムトｅＮＢまたはホームｅＮＢ（ＨｅＮＢ）と呼ばれることがある。図１に示されている例では、ｅＮＢ１１０ａがマクロセル１０２ａのためのマクロｅＮＢであり得、ｅＮＢ１１０ｂがピコセル１０２ｂのためのピコｅＮＢであり得、ｅＮＢ１１０ｃがフェムトセル１０２ｃのためのフェムトｅＮＢであり得る。ｅＮＢは、１つまたは複数の（たとえば、３つの）セルをサポートし得る。「ｅＮＢ」、「基地局」および「セル」という用語は、本明細書では互換的に使用され得る。
【００２３】
[0030]ワイヤレスネットワーク１００はまた、中継局を含み得る。中継局は、上流局（たとえば、ｅＮＢまたはＵＥ）からデータの送信を受信し、そのデータの送信を下流局（たとえば、ＵＥまたはｅＮＢ）に送ることができるエンティティである。中継局はまた、他のＵＥに対する送信を中継することができるＵＥであり得る。図１に示されている例では、中継局１１０ｄは、ｅＮＢ１１０ａとＵＥ１２０ｄとの間の通信を可能にするために、マクロｅＮＢ１１０ａおよびＵＥ１２０ｄと通信し得る。中継局は、リレーｅＮＢ、リレー基地局、リレーなどと呼ばれることもある。
【００２４】
[0031]ワイヤレスネットワーク１００は、様々なタイプのｅＮＢ、たとえば、マクロｅＮＢ、ピコｅＮＢ、フェムトｅＮＢ、リレーｅＮＢなどを含む異種ネットワークであり得る。これらの様々なタイプのｅＮＢは、様々な送信電力レベル、様々なカバレージエリア、およびワイヤレスネットワーク１００中の干渉に対する様々な影響を有し得る。たとえば、マクロｅＮＢは、高い送信電力レベル（たとえば、５〜４０ワット）を有し得るが、ピコｅＮＢ、フェムトｅＮＢ、およびリレーｅＮＢは、より低い送信電力レベル（たとえば、０．１〜２ワット）を有し得る。
【００２５】
[0032]ネットワークコントローラ１３０は、ｅＮＢのセットに結合し得、これらのｅＮＢの協調および制御を行い得る。ネットワークコントローラ１３０はバックホールを介してｅＮＢと通信し得る。ｅＮＢはまた、たとえば、ワイヤレスバックホールまたはワイヤラインバックホールを介して直接または間接的に互いに通信し得る。
【００２６】
[0033]ＵＥ１２０（たとえば、１２０ａ、１２０ｂ、１２０ｃ）は、ワイヤレスネットワーク１００全体にわたって分散され得、各ＵＥは固定または移動であり得る。ＵＥは、アクセス端末、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、スマートフォン、ネットブック、スマートブック、ウルトラブックなどであり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の潜在的に干渉する送信を示す。
【００２７】
[0034]図２は、図１の基地局／ｅＮＢの１つであり得る基地局／ｅＮＢ１１０および図１のＵＥの１つであり得るＵＥ１２０の設計のブロック図を示す。基地局１１０はＴ個のアンテナ２３４ａ〜２３４ｔを装備し得、ＵＥ１２０はＲ個のアンテナ２５２ａ〜２５２ｒを装備し得、ただし、概してＴ≧１およびＲ≧１である。
【００２８】
[0035]基地局１１０において、送信プロセッサ２２０が、１つまたは複数のＵＥについてデータソース２１２からデータを受信し、ＵＥから受信されたＣＱＩに基づいて各ＵＥのための１つまたは複数の変調およびコーディング方式（ＭＣＳ）を選択し、そのＵＥのために選択された（１つまたは複数の）ＭＣＳに基づいて各ＵＥのためのデータを処理（たとえば、符号化および変調）し、すべてのＵＥについてデータシンボルを与え得る。送信プロセッサ２２０はまた、（たとえば、ＳＲＰＩなどのための）システム情報および制御情報（たとえば、ＣＱＩ要求、許可、上位レイヤシグナリングなど）を処理し、オーバーヘッドシンボルおよび制御シンボルを与え得る。プロセッサ２２０はまた、基準信号（たとえば、ＣＲＳ）および同期信号（たとえば、ＰＳＳおよびＳＳＳ）のための基準シンボルを生成し得る。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（たとえば、プリコーディング）を実行し得、Ｔ個の出力シンボルストリームをＴ個の変調器（ＭＯＤ）２３２ａ〜２３２ｔに与え得る。各変調器２３２は、出力サンプルストリームを取得するために、（たとえば、ＯＦＤＭなどのための）それぞれの出力シンボルストリームを処理し得る。各変調器２３２はさらに、ダウンリンク信号を取得するために、出力サンプルストリームを処理（たとえば、アナログへの変換、増幅、フィルタ処理、およびアップコンバート）し得る。変調器２３２ａ〜２３２ｔからのＴ個のダウンリンク信号は、それぞれＴ個のアンテナ２３４ａ〜２３４ｔを介して送信され得る。
【００２９】
[0036]ＵＥ１２０において、アンテナ２５２ａ〜２５２ｒが、基地局１１０および／または他の基地局からダウンリンク信号を受信し得、受信信号をそれぞれ復調器（ＤＥＭＯＤ）２５４ａ〜２５４ｒに与え得る。各復調器２５４は、入力サンプルを取得するために、それの受信信号を調整（たとえば、フィルタ処理、増幅、ダウンコンバート、およびデジタル化）し得る。各復調器２５４はさらに、受信シンボルを取得するために、（たとえば、ＯＦＤＭなどのための）入力サンプルを処理し得る。ＭＩＭＯ検出器２５６は、すべてのＲ個の復調器２５４ａ〜２５４ｒから受信シンボルを取得し、適用可能な場合、受信シンボルに対してＭＩＭＯ検出を実行し、検出されたシンボルを与え得る。受信プロセッサ２５８は、検出されたシンボルを処理（たとえば、復調および復号）し、ＵＥ１２０のための復号されたデータをデータシンク２６０に与え、復号された制御信号およびシステム情報をコントローラ／プロセッサ２８０に与え得る。チャネルプロセッサは、たとえば、本明細書で提示される技法を使用することによって、ＲＳＲＰ、ＲＳＳＩ、ＲＳＲＱ、ＣＱＩなどを決定し得る。
【００３０】
[0037]アップリンク上では、ＵＥ１２０において、送信プロセッサ２６４が、データソース２６２からのデータと、コントローラ／プロセッサ２８０からの（たとえば、ＲＳＲＰ、ＲＳＳＩ、ＲＳＲＱ、ＣＱＩなどを備えるレポートのための）制御情報とを受信し、処理し得る。プロセッサ２６４はまた、１つまたは複数の基準信号のための基準シンボルを生成し得る。送信プロセッサ２６４からのシンボルは、適用可能な場合はＴＸ  ＭＩＭＯプロセッサ２６６によってプリコーディングされ、（たとえば、ＳＣ−ＦＤＭ、ＯＦＤＭなどのために）変調器２５４ａ〜２５４ｒによってさらに処理され、基地局１１０に送信され得る。基地局１１０において、ＵＥ１２０および他のＵＥからのアップリンク信号は、アンテナ２３４によって受信され、復調器２３２によって処理され、適用可能な場合はＭＩＭＯ検出器２３６によって検出され、ＵＥ１２０によって送られた、復号されたデータおよび制御情報を取得するために、受信プロセッサ２３８によってさらに処理され得る。プロセッサ２３８は、復号されたデータをデータシンク２３９に与え、復号された制御情報をコントローラ／プロセッサ２４０に与え得る。基地局１１０は、通信ユニット２４４を含み、通信ユニット２４４を介してネットワークコントローラ１３０に通信し得る。ネットワークコントローラ１３０は、通信ユニット２９４と、コントローラ／プロセッサ２９０と、メモリ２９２とを含み得る。
【００３１】
[0038]コントローラ／プロセッサ２４０および２８０は、それぞれ基地局１１０およびＵＥ１２０における動作を指示し得る。たとえば、基地局１１０におけるプロセッサ２４０および／または他のプロセッサおよびモジュールは、図７に示されている直接動作７００を実行し得る。同様に、ＵＥ１２０におけるプロセッサ２８０および／または他のプロセッサおよびモジュールは、図６に示されている動作６００を実行または指示し得る。メモリ２４２および２８２は、たとえば、図６および図７に示されている動作を実行するために、それぞれ基地局１１０およびＵＥ１２０のためのデータおよびプログラムコードを記憶し得る。スケジューラ２４６は、ダウンリンク上および／またはアップリンク上でのデータ送信のためにＵＥをスケジュールし得る。
【００３２】
[0039]図３は、ＬＴＥにおけるＦＤＤのための例示的なフレーム構造３００を示す。ダウンリンクおよびアップリンクの各々に関する送信タイムラインは、無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図３に示されているように）ノーマルサイクリックプレフィックスの場合は７つのシンボル期間、または拡張サイクリックプレフィックスの場合は６つのシンボル期間を含み得る。各サブフレーム中の２Ｌ個のシンボル期間は０〜２Ｌ−１のインデックスを割り当てられ得る。
【００３３】
[0040]ＬＴＥでは、ｅＮＢは、ｅＮＢによってサポートされるセルごとにシステム帯域幅の中心においてダウンリンク上で１次同期信号（ＰＳＳ）と２次同期信号（ＳＳＳ）とを送信し得る。ＰＳＳおよびＳＳＳは、図３に示されているように、それぞれ、ノーマルサイクリックプレフィックスをもつ各無線フレームのサブフレーム０および５中のシンボル期間６および５中で送信され得る。ＰＳＳおよびＳＳＳは、セル探索および収集のためにＵＥによって使用され得、情報の中でも、複信モードの指示とともにセルＩＤを含んでいることがある。複信モードの指示は、セルが時分割複信（ＴＤＤ）フレーム構造を利用するのか周波数分割複信（ＦＤＤ）フレーム構造を利用するのかを示し得る。ｅＮＢは、ｅＮＢによってサポートされるセルごとにシステム帯域幅にわたってセル固有基準信号（ＣＲＳ：cell-specific reference signal）を送信し得る。ＣＲＳは、各サブフレームのいくつかのシンボル期間中に送信され得、チャネル推定、チャネル品質測定、および／または他の機能を実行するためにＵＥによって使用され得る。ｅＮＢはまた、いくつかの無線フレームのスロット１中のシンボル期間０〜３中で物理ブロードキャストチャネル（ＰＢＣＨ：physical broadcast channel）を送信し得る。ＰＢＣＨは何らかのシステム情報を搬送し得る。ｅＮＢは、いくつかのサブフレームにおいて物理ダウンリンク共有チャネル（ＰＤＳＣＨ：physical downlink shared channel）上でシステム情報ブロック（ＳＩＢ：system information block）などの他のシステム情報を送信し得る。ｅＮＢは、サブフレームの第１のＢ個のシンボル期間内で、物理ダウンリンク制御チャネル（ＰＤＣＣＨ：physical downlink control channel）上で制御情報／データを送信し得、ここで、Ｂは各サブフレームについて構成可能であり得る。ｅＮＢは、各サブフレームの残りのシンボル期間内で、ＰＤＳＣＨ上でトラフィックデータおよび／または他のデータを送信し得る。
【００３４】
[0041]図４は、ノーマルサイクリックプレフィックスをもつ２つの例示的なサブフレームフォーマット４１０および４２０を示す。利用可能な時間周波数リソースはリソースブロックに区分され得る。各リソースブロックは、１つのスロット中の１２個のサブキャリアをカバーし得、いくつかのリソース要素を含み得る。各リソース要素は、１つのシンボル期間中の１つのサブキャリアをカバーし得、実数値または複素数値であり得る１つの変調シンボルを送るために使用され得る。
【００３５】
[0042]サブフレームフォーマット４１０は、２つのアンテナのために使用され得る。ＣＲＳは、シンボル期間０、４、７および１１中でアンテナ０および１から送信され得る。基準信号は、送信機および受信機によってアプリオリに知られる信号であり、パイロットと呼ばれることもある。ＣＲＳは、たとえば、セル識別情報（ＩＤ）に基づいて生成される、セルに固有である基準信号である。図４では、ラベルＲａをもつ所与のリソース要素について、アンテナａからはそのリソース要素上で変調シンボルが送信され得、他のアンテナからはそのリソース上で変調シンボルが送信されないことがある。サブフレームフォーマット４２０は、４つのアンテナとともに使用され得る。ＣＲＳは、シンボル期間０、４、７および１１中でアンテナ０および１から送信され、シンボル期間１および８中でアンテナ２および３から送信され得る。サブフレームフォーマット４１０とサブフレームフォーマット４２０の両方について、ＣＲＳは、セルＩＤに基づいて決定され得る、均等に離間したサブキャリア上で送信され得る。ＣＲＳは、それらのセルＩＤに応じて、同じまたは異なるサブキャリア上で送信され得る。サブフレームフォーマット４１０とサブフレームフォーマット４２０の両方について、ＣＲＳのために使用されないリソース要素は、データ（たとえば、トラフィックデータ、制御データ、および／または他のデータ）を送信するために使用され得る。
【００３６】
[0043]ＬＴＥにおけるＰＳＳ、ＳＳＳ、ＣＲＳおよびＰＢＣＨは、公開されている「Evolved Universal Terrestrial Radio Access (E-UTRA); Physical Channels and Modulation」と題する３ＧＰＰ  ＴＳ  ３６．２１１に記載されている。
【００３７】
[0044]ＬＴＥにおけるＦＤＤのためのダウンリンクおよびアップリンクの各々のためにインターレース構造が使用され得る。たとえば、０〜Ｑ−１のインデックスをもつＱ個のインターレースが定義され得、ただし、Ｑは、４、６、８、１０、または何らかの他の値に等しいことがある。各インターレースは、Ｑ個のフレームだけ離間されたサブフレームを含み得る。特に、インターレースｑは、サブフレームｑ、ｑ＋Ｑ、ｑ＋２Ｑなどを含み得、ただし、ｑ∈｛０，．．．，Ｑ−１｝である。
【００３８】
[0045]ワイヤレスネットワークは、ダウンリンクおよびアップリンク上でのデータ送信のためにハイブリッド自動再送要求（ＨＡＲＱ）をサポートし得る。ＨＡＲＱでは、送信機（たとえば、ｅＮＢ）は、パケットが受信機（たとえば、ＵＥ）によって正しく復号されるまで、または何らかの他の終了条件に遭遇するまで、パケットの１つまたは複数の送信を送り得る。同期ＨＡＲＱの場合、パケットのすべての送信が単一のインターレースのサブフレーム中で送られ得る。非同期ＨＡＲＱの場合、パケットの各送信は任意のサブフレーム中で送られ得る。
【００３９】
[0046]ＵＥは、複数のｅＮＢのカバレージ内に位置し得る。これらのｅＮＢのうちの１つが、そのＵＥをサービスするために選択され得る。サービングｅＮＢは、受信信号強度、受信信号品質、経路損失などの様々な基準に基づいて選択され得る。受信信号品質は、信号対雑音干渉比（ＳＩＮＲ：signal-to-noise-and-interference ratio）、または基準信号受信品質（ＲＳＲＱ：reference signal received quality）、または何らかの他のメトリックによって定量化され得る。ＵＥは、ＵＥが１つまたは複数の干渉ｅＮＢからの高い干渉を観測し得る支配的干渉シナリオにおいて動作し得る。
【００４０】
[0047]マルチメディアブロードキャスト単一周波数ネットワーク（ＭＢＳＦＮ）中の発展型マルチメディアブロードキャストおよびマルチキャストサービス（ｅＭＢＭＳ）が、ＭＢＳＦＮエリアを形成するためにセル中のｅＮＢによって形成され得る。ｅＮＢは、複数のＭＢＳＦＮエリア、たとえば、最高合計８つのＭＢＳＦＮエリアに関連付けられ得る。ＭＢＳＦＮエリア中の各ｅＮＢは、同じｅＭＢＭＳ制御情報およびデータを同期的に送信する。各エリアは、ブロードキャストサービスと、マルチキャストサービスと、ユニキャストサービスとをサポートし得る。ユニキャストサービスは、特定のユーザを対象とするサービス、たとえば、音声呼である。マルチキャストサービスは、ユーザのグループによって受信され得るサービス、たとえば、サブスクリプションビデオサービスである。ブロードキャストサービスは、すべてのユーザによって受信され得るサービス、たとえば、ニュースブロードキャストである。したがって、第１のＭＢＳＦＮエリアは、特定のニュースブロードキャストをＵＥに与えることによってなど、第１のｅＭＢＭＳブロードキャストサービスをサポートし得、第２のＭＢＳＦＮエリアは、異なるニュースブロードキャストを第２のＵＥに与えることによってなど、第２のｅＭＢＭＳブロードキャストサービスをサポートし得る。各ＭＢＳＦＮエリアは、複数の物理マルチキャストチャネル（ＰＭＣＨ：physical multicast channel）（たとえば、１５個のＰＭＣＨ）をサポートする。各ＰＭＣＨはマルチキャストチャネル（ＭＣＨ：multicast channel）に対応する。各ＭＣＨは、複数（たとえば、２９個）のマルチキャスト論理チャネルを多重化することができる。各ＭＢＳＦＮエリアは、１つのマルチキャスト制御チャネル（ＭＣＣＨ：multicast control channel）を有し得る。したがって、１つのＭＣＨは、１つのＭＣＣＨと複数のマルチキャストトラフィックチャネル（ＭＴＣＨ：multicast traffic channel）とを多重化し得、残りのＭＣＨは複数のＭＴＣＨを多重化し得る。ＭＢＳＦＮ情報を搬送するように構成されたサブフレームは、セルのダイバーシティモードに応じて異なることがある。概して、ＭＢＳＦＮは、ＵＥへのＤＬのためにのみ利用可能なサブフレームとスペシャルサブフレームとを除くすべてのサブフレーム中で搬送され得る。たとえば、セルがＦＤＤのために構成された場合、ＭＢＳＦＮは、０、４、５、および９を除くすべてのサブフレーム中で構成され得る。ＴＤＤ動作の場合、ＭＢＳＦＮは、０、１、５、および６を除くすべてのサブフレーム中で構成され得る。
【００４１】
カバレージ向上を伴う例示的なＲＳＲＰおよび経路損失測定
[0048]上述のように、本開示の態様は、ワイヤレス通信ネットワーク中の他の（非ＭＴＣ）デバイスと比較して、システム帯域幅全体のうちの比較的狭帯域を使用するマシンタイプ通信（ＭＴＣ）デバイスに制御情報をシグナリングするための技法を提供する。
【００４２】
[0049]（たとえば、レガシー「非ＭＴＣ」デバイスのための）旧来のＬＴＥ設計の焦点は、スペクトル効率の改善、ユビキタスカバレージ、および向上されたサービス品質（ＱｏＳ）サポートに対するものである。現在のＬＴＥシステムのダウンリンク（ＤＬ）およびアップリンク（ＵＬ）リンクバジェットは、比較的大きいＤＬおよびＵＬリンクバジェットをサポートし得る、最先端のスマートフォンおよびタブレットなど、ハイエンドデバイスのカバレージのために設計される。
【００４３】
[0050]しかしながら、低コスト、低レートデバイスもサポートされる必要がある。たとえば、いくつかの規格（たとえば、ＬＴＥリリース１２）は、概して、低コスト設計またはマシンタイプ通信をターゲットにする、（カテゴリー０  ＵＥと呼ばれる）新しいタイプのＵＥを導入した。
【００４４】
[0051]図５は、より広いシステム帯域幅（たとえば、１．４／３／５／１０／１５／２０ＭＨｚ）において動作しながら狭帯域動作をサポートすることが可能であるＭＴＣ  ＵＥのための例示的なサブフレーム構造５００を示す。図５に示されている例では、従来のレガシー制御領域５１０が最初の数個のシンボルのシステム帯域幅にわたり得、（データ領域５２０の狭い部分にわたる）システム帯域幅の狭帯域領域５３０が、（本明細書ではｍＰＤＣＣＨと呼ばれる）ＭＴＣ物理ダウンリンク制御チャネルのために、および（本明細書ではｍＰＤＳＣＨと呼ばれる）ＭＴＣ物理ダウンリンク共有チャネルのために確保され得る。いくつかの場合には、狭帯域領域を監視するＭＴＣ  ＵＥは、１．４ＭＨｚまたは６つのリソースブロック（ＲＢ）において動作し得る。
【００４５】
[0052]マシンタイプ通信（ＭＴＣ）では、限られた量の情報のみが交換される必要があり得るので、様々な要件が緩和され得る。たとえば、（レガシーＵＥに対して）最大帯域幅が低減され得、単一の受信無線周波数（ＲＦ）チェーンが使用され得、ピークレートが低減され得（たとえば、トランスポートブロックサイズのために最高１００ビット）、送信電力が低減され得、ランク１送信が使用され得、半二重動作が実行され得る。
【００４６】
[0053]いくつかの場合には、半二重動作が実行される場合、ＭＴＣ  ＵＥは、送信から受信に（または受信から送信に）遷移するための緩和された切替え時間を有し得る。たとえば、切替え時間は、通常ＵＥのための２０μｓからＭＴＣ  ＵＥのための１ｍｓに緩和され得る。リリース１２  ＭＴＣ  ＵＥは、依然として、通常ＵＥと同様の方法でダウンリンク（ＤＬ）制御チャネルを監視し得、たとえば、最初の数個のシンボル中の広帯域制御チャネル（たとえば、ＰＤＣＣＨ）、ならびに比較的狭帯域を占有するが、サブフレームの長さにわたる狭帯域制御チャネル（たとえば、ｅＰＤＣＣＨ）を監視する。
【００４７】
[0054]ＭＴＣ  ＵＥはまた、リンクバジェット制限付きデバイスであり得、それのリンクバジェット制限に基づいて、（たとえば、ＭＴＣ  ＵＥに送信される異なる量の繰返しメッセージを伴う）異なる動作モードで動作し得る。たとえば、いくつかの場合には、ＭＴＣ  ＵＥは、繰返しがほとんどない（すなわち、ＵＥがメッセージを正常に受信するために必要とされる繰返しの量が少ないことがあるか、または繰返しが必要とされないことさえある）通常カバレージモードで動作し得る。代替的に、いくつかの場合には、ＭＴＣ  ＵＥは、大量の繰返しがあり得るカバレージ向上（ＣＥ）モードで動作し得る（本明細書では向上されたＭＴＣ（ｅＭＴＣ：enhanced MTC）と呼ばれる）。たとえば、３２８ビットペイロードの場合、ＣＥモードにあるＭＴＣ  ＵＥは、ペイロードを正常に受信するために、ペイロードの１５０回以上の繰返しを必要とし得る。
【００４８】
[0055]向上されたカバレージは、概して、より大きいカバレージエリアをもつ基地局によって「カバー」またはサービスされるべき（ＭＴＣ／ｅＭＴＣ）デバイス能力に関連する。より大きいカバレージエリアは、対応するより低い信号品質をもつ領域を生じる。たとえば、ｅＭＴＣでは、カバレージは、Ｒｅｌ．８  ＬＴＥと比較して約１５ｄＢだけ拡張され得、これは、ＵＥとｅＮＢとの間の１５５．７ｄＢの最大結合損失に結びつく。したがって、向上されたカバレージ中のｅＭＴＣ  ＵＥは、極めて低いＳＮＲ値（約−２０ｄＢ）の下で確実に作動しなければならないことがある。
【００４９】
[0056]たとえば、極めて低いＳＮＲ値の下で動作するｅＭＴＣ  ＵＥは、それでも、無線リソース管理（ＲＲＭ）、セル選択または再選択のために必要とされる基準信号受信電力（ＲＳＲＰ）測定と、電力制御のために必要とされる経路損失測定と、カバレージ向上必要、およびランダムアクセスチャネル（ＲＡＣＨ）バンドルサイズの選択を識別するために必要とされる経路損失測定とを確実に行うことを要求され得る。
【００５０】
[0057]いくつかの場合には、ＲＳＲＰ測定は、ＣＲＳリソースのあらかじめ定義されたセットを使用して、たとえば、２００個のサブフレームのうちの平均５個を使用して実行される。いくつかの場合には、セル固有基準信号（ＣＲＳ）ベースのＲＳＲＰ測定は、６つのリソースブロック（ＲＢ）を用いて実行され得る。概して、ＲＳＲＰ測定性能は、−６ｄＢにおいて２つの受信（Ｒｘ）アンテナを用いると良好である。しかしながら、低いＳＮＲにおいて、上述のように、チャネル測定精度が問題になることがある。たとえば、いくつかの場合には、チャネル測定処理およびプロシージャは、−１５ｄＢ〜−２０ｄＢなど、そのような低いＳＮＲにおいてまったく作動しないことがある。したがって、本開示の態様は、ＭＴＣ  ＵＥのためのＲＳＲＰ、経路損失、および／またはＳＮＲ測定精度を改善するための技法を提供する。
【００５１】
[0058]図６に、本開示の態様による、ワイヤレス通信のための例示的な動作６００を示す。態様によれば、動作６００は、ＵＥ（たとえば、ＵＥ１２０）によって実行され得る。
【００５２】
[0059]動作６００は、６０２において、ＵＥが、測定プロシージャ中の基準信号の測定に基づいて、チャネル状態を示す１つまたは複数のパラメータメトリックの測定を向上させるために使用するリソースの追加のセットを決定することによって開始し、ここにおいて、リソースの追加のセットは、１つまたは複数のメトリックを測定するために使用されるリソースの定義されたセットの他のものである。５０４において、ＵＥは、基準信号と、リソースの追加のセットと、１つまたは複数の測定パラメータとに少なくとも基づいて、測定プロシージャを実行する。
【００５３】
[0060]図７に、本開示の態様による、ワイヤレス通信のための例示的な動作７００を示す。態様によれば、動作７００は、ｅＮＢ（たとえば、ｅＮＢ１１０）によって実行され得る。
【００５４】
[0061]動作７００は、７０２において、ｅＮＢが、測定プロシージャ中の基準信号の測定に基づいて、チャネル状態を示す１つまたは複数のパラメータメトリックのユーザ機器（ＵＥ）による測定を向上させるために使用するリソースの追加のセットを決定することによって開始し、ここにおいて、リソースの追加のセットは、１つまたは複数のメトリックを測定するために使用されるリソースの定義されたセットの他のものである。６０４において、ｅＮＢは、リソースの追加のセットに関する情報をＵＥに送信する。
【００５５】
[0062]上述のように、本開示の態様は、測定プロシージャ中にＭＴＣ  ＵＥのためのチャネル状態を示すメトリックの測定（たとえば、ＲＳＲＰおよび経路損失測定）を改善するための技法を提供する。いくつかの場合には、これらの技法はアイドルモード測定にも適用され得る。
【００５６】
[0063]たとえば、１つの技法は、ＲＳＲＰおよび／または経路損失測定のために使用され得るサブフレームの数を増加させることであり得る。この技法の下で、基準信号（たとえば、ＣＲＳ）処理のためのサブフレームの数が増加され得る。しかしながら、可能なマルチキャストブロードキャスト単一周波数ネットワーク（ＭＢＳＦＮ）サブフレームを回避するために、サブフレーム０、４、５、および９のみが、追加のＣＲＳを取得するために使用され得（すなわち、ｅＮＢは、これらのサブフレーム中で追加のＣＲＳを送信し得）、これにより、上記で説明された２００個のサブフレームのうちの平均５個と比較して、２００個の可能なサブフレームのうちの８０個がＣＲＳ処理のために使用されることになり得る。したがって、ｅＮＢは、ＵＥがＲＳＲＰおよび／または経路損失測定の精度を改善するために使用し得るＣＲＳリソースの追加のセットを決定し得、リソースの追加のセットに関する情報をＵＥに送信し得る。ＵＥは、この情報を受信し得、ＲＳＲＰ、経路損失、および／またはＳＮＲの測定を向上させるためのリソースの追加のセットを決定し得る。
【００５７】
[0064]ＲＳＲＰおよび／または経路損失測定精度を増加させるために使用され得る別の技法は、物理ブロードキャストチャネル（ＰＢＣＨ）および／またはシステム情報ブロック（ＳＩＢ）などのブロードキャストリソースを使用することであり得る。いくつかの場合には、カバレージ向上を伴うＭＴＣ  ＵＥをサービスするとき、これらのブロードキャストリソース（すなわち、ＰＢＣＨおよびＳＩＢ）は、繰り返され、および／またはバンドルされ得る。いくつかの態様によれば、これらのブロードキャストリソースは、ペイロードの成功した復号の後に、ＣＲＳのような基準信号（または「擬似基準信号」）として使用され得る。すなわち、ＵＥがＰＢＣＨを受信し、正常に復号すると仮定すると、ＰＢＣＨトーンはパイロットとして使用され得る。たとえば、２００個のサブフレームのうち、２０個のサブフレームがＰＢＣＨのために構成され、したがって、ＲＳＲＰ測定目的のために使用され得る４８００（２０＊２４０）個の追加のリソース要素（ＲＥ）が生じ得る。概して、ＰＢＣＨは、より良いチャネル推定を生じ得る高密度トーン間隔を有する。
【００５８】
[0065]ブロードキャストリソース（たとえば、ＰＢＣＨおよびＳＩＢ）をパイロットとして使用することは、ＲＳＲＰおよび経路損失測定を改善するのを助け得るが、これらのブロードキャストリソースを使用することは、これらのリソースの送信電力が、ＣＲＳが送信されている送信電力と異なる場合、潜在的に問題になり得る。たとえば、ＰＢＣＨおよびＳＩＢのトラフィック対パイロット比（Ｔ２Ｐ）はネットワークによって指定されず、これは、ｅＮＢがこれらのリソースを潜在的に電力ブーストすることができることを意味する。したがって、０ｄＢ  Ｔ２Ｐ（すなわち、ＰＢＣＨ／ＳＩＢがＣＲＳと同じ電力で送信されること）を仮定することは、誤ったＲＳＲＰ／経路損失測定結果につながり得る。
【００５９】
[0066]したがって、ＰＢＣＨおよび／またはＳＩＢを使用するときの、誤ったＲＳＲＰ／経路損失測定結果の問題を解決するために、（たとえば、ＰＢＣＨ／ＳＩＢとＣＲＳとの間の電力の比を表し得る）Ｔ２Ｐが、（たとえば、それのサービングｅＮＢによって）ＵＥにシグナリングされ得る。ＵＥは、次いで、ＰＢＣＨ／ＳＩＢ  ＲＳＲＰ／経路損失ベースの測定値をスケールバックするためにＴ２Ｐを使用し得る。いくつかの態様によれば、Ｔ２Ｐの指示は、数個の固定値を用いてＰＢＣＨ中でシグナリングされるか、または数個の固定値を用いてＳＩＢ中でシグナリングし得る。いくつかの態様によれば、これらの固定値は、ＲＳＲＰ／経路損失を計算するときにＰＢＣＨ／ＳＩＢの電力を増加または減少させる（すなわち、スケーリングする）ようにＵＥに命令し得る。いくつかの態様によれば、Ｔ２Ｐは、ＣＲＳに対する４つの値を識別するためにＰＢＣＨ中で２ビットを使用して示され得る。さらに、ＰＢＣＨがＣＲＳと等しい電力を有するのか、異なる電力を有するのかを示すために１ビットが使用され得る。さらに、Ｔ２Ｐ指示は、Ｔ２ＰがＰＢＣＨのみに適用されるのか、ＰＢＣＨとＳＩＢ１の両方に適用されるのかに関する指示を含み得る。さらに、いくつかの場合には、Ｔ２ＰがＰＢＣＨのみに適用されるのか、ＰＢＣＨとＳＩＢ１の両方に適用されるのかに関する指示は、それがシステム中であらかじめ決定される場合、スキップされ得る。
【００６０】
[0067]いくつかの態様によれば、ＵＥは、それが、ＲＳＲＰおよび／または経路損失を決定するために、ＰＢＣＨを使用することができるかどうか、ならびに／あるいはどのようにＰＢＣＨを使用することができるかを決定するためにＰＢＣＨを復号し得る。さらに、ＵＥは、それが、ＲＳＲＰおよび／または経路損失を決定するために、ＰＢＣＨおよびＳＩＢを使用することができるかどうか、ならびに／あるいはどのようにＰＢＣＨおよびＳＩＢを使用することができるかを見つけ出すためにＳＩＢを復号し得る。たとえば、ＳＩＢ中でシグナリングされるＴ２Ｐ値は、受信信号電力測定値または経路損失測定値を調整するために、前に処理されたＰＢＣＨに適用され得る。
【００６１】
[0068]いくつかの態様によれば、サービングセル対他のセル（たとえば、ネイバリングセル）のための異なる手法があり得る。たとえば、ＵＥが、いずれにせよそれのサービングセルのためのＰＢＣＨ／ＳＩＢを復号しなければならない場合、ＵＥは、ＲＳＲＰ測定値のためにこれらのチャネルを使用することができる。さらに、ＵＥが、それのネイバーセルＲＳＲＰ測定値のためにＰＢＣＨ／ＳＩＢを復号しない場合、ＵＥは、他のネイバリングセルからのより多くのＲＳＲＰ測定値に依拠し得る。
【００６２】
[0069]いくつかの態様によれば、経路損失を識別するためにＳＩＢチャネルが使用され得る。たとえば、ｅＮＢは、概して、常に、ワーストケースのユーザのカバレージを仮定してＳＩＢを送信する。したがって、ｅＮＢによってサービスされているすべてのＵＥは、ＲＳＲＰならびに経路損失決定を助けるために、復号されたＳＩＢを使用し得る。いくつかの態様によれば、Ｔ２Ｐ値のシグナリングとともに、ＲＳＲＰおよび経路損失は、ＣＲＳベース測定値とＳＩＢベース測定値とを用いて合成され得る。
【００６３】
[0070]前記のように、上記の技法は、ＲＳＲＰおよび経路損失測定の精度を改善するのを助け得る。しかしながら、これらの技法は、向上された（すなわち、上記で提示された技法を使用する）ＲＳＲＰ／経路損失測定が実行されている場合、より高い電力消費を生じ得る。したがって、これらの向上されたＲＳＲＰ／経路損失測定値技法をいつ使用するかを決定する必要がある。
【００６４】
[0071]いくつかの態様によれば、向上されたＲＳＲＰ処理および／または経路損失測定は、いくつかの条件によってトリガされ得る。たとえば、ＵＥは、それが大きいカバレージ向上を必要としないと仮定して、通常ＰＳＳ／ＳＳＳ／ＰＢＣＨ／ＳＩＢ処理を実行し得る。ＰＳＳ／ＳＳＳの収集および／またはＰＢＣＨ復号が、たとえば、ある収集時間またはＰＢＣＨ復号試みの数を超える、拡張合成を必要とする場合、ＵＥは、向上されたＲＳＲＰ／ＰＬ測定状態に入り得る。そのような場合、ＵＥは、ＣＲＳ測定（すなわち、サブフレーム０、４、５、および９中のＣＲＳを測定すること）を増加させるか、またはブロードキャストリソース（たとえば、ＲＳＲＰおよび／またはＳＩＢ）を使用し得る。
【００６５】
[0072]いくつかの態様によれば、向上されたＲＳＲＰ処理および／または経路損失測定は、明示的または暗黙的ネットワーク指示によってトリガされ得る。たとえば、ｅＮＢは、向上されたＲＳＲＰ処理および／または経路損失測定を実行するために、明示的または暗黙的指示をＵＥに送信し得る。いくつかの態様によれば、暗黙的指示は、ｅＮＢが、物理レイヤチャネル（たとえば、ページングチャネル、ブロードキャストチャネル、および／またはランダムアクセスチャネル）のバンドリングまたは繰返しを用いてＵＥを構成することを伴い得る。いくつかの態様によれば、ｅＮＢはまた、向上された測定を実行することを停止するための指示をＵＥに与え得る。
【００６６】
[0073]いくつかの態様によれば、得られたＲＳＲＰ／経路損失測定値は、たとえば、様々な送信のための送信パラメータ（たとえば、送信電力および／または繰返し数）を決定するために使用され得る。たとえば、ＵＥがネットワークにアクセスするために、ＵＥは、ｅＮＢへのリンクを確立するためにランダムアクセスチャネル（ＲＡＣＨ）プロシージャを実行しなければならない。極めて低いＳＮＲにおいて、ＵＥは、ｅＮＢがＲＡＣＨメッセージを確実に復号することができることを保証するために、複数の送信（「バンドルサイズ」と呼ばれることがある、繰返し数）を使用しなければならないことがある。したがって、ランダムアクセスプロシージャにおいて使用される電力レベルおよび／または繰返し数などの送信パラメータは、ＵＥによって測定されたＲＳＲＰレベルおよび／または経路損失に基づき得る。
【００６７】
[0074]しかしながら、一方では、（まれに送信し得るが、バッテリーから離れて長い間動作するように要求され得る）ｅＭＴＣ  ＵＥにとって電力消費が重要である。したがって、たとえば、有能と説明された技法に従って、ＲＳＲＰおよび／または経路損失の測定を実行することは、ＵＥができる限り多くの電力を節約し得るように、最適化されるべきである。この観点から、測定値を取ることは電力を消費するので、ＵＥがこれらの測定をできる限りめったに実行しないことが望ましい。
【００６８】
[0075]他方では、ＲＡＣＨプロシージャも、ＵＥが、高電力でまたはより大きいバンドルサイズを用いて信号を送信しなければならないので、多くの電力を消費し得る。ＵＥが、（たとえば、不正確な測定値に基づいて）ＲＡＣＨプロシージャのための間違ったパラメータを選定した場合、ＵＥは多くの電力を浪費し得、および／またはＲＡＣＨプロシージャは成功しないことがある。したがって、ＵＥが最初のトライで正しいＲＡＣＨパラメータを選定することが望ましいことがある。
【００６９】
[0076]しかしながら、ＵＥが正しいＲＡＣＨパラメータを選定するために、ＵＥはＲＳＲＰを極めて正確に測定しなければならない。したがって、これらの２つの設計目標は、一般に、電力消費の観点から競合する。これは、ＵＥが、ＲＡＣＨプロシージャ中に電力を浪費することを回避するために、適切な送信パラメータの選択を可能にするほど正確であるのにちょうど十分な測定値を取るべきであるというトレードオフを提示する。
【００７０】
[0077]したがって、本開示の態様は、測定プロシージャ（すなわち、たとえば、上記で説明されたＲＳＲＰおよび／または経路損失測定プロシージャ）の１つまたは複数のパラメータが様々な条件に基づいて適応されることを可能にする技法をさらに提供する。たとえば、アクセスプロシージャを実行した後に必要とされるよりも正確な測定が、アクセスプロシージャを実行する前に必要とされ得る。さらに、測定プロシージャの１つまたは複数のパラメータは、前および／または現在の測定結果に基づいて適応され得る。
【００７１】
[0078]たとえば、ＲＡＣＨプロシージャを実行する前と後とで異なる測定パラメータが使用され得る。いくつかの場合には、ＵＥは、測定精度を改善するために、ＵＥがアクセスプロシージャを実行する前に、（たとえば、より高いサンプリングレートおよび／またはより長い平均化を用いて）より多くの測定を実行し得る。たとえば、ＵＥが、通常、（通常）精度要件を満たすために５０ｍｓごとに１つの測定サンプルを取らなければならない場合、ＵＥは、ＲＡＣＨプロシージャが実行される前に、２０ｍｓごとにサンプリングするように（たとえば、サンプリングレートパラメータを選択することによって）測定プロシージャを適応させ得る。
【００７２】
[0079]代替として、ＵＥは、同じ頻度で（サンプリングするために）起動し得るが、各起動において、ＵＥは、平均化パラメータに従ってより長い平均化を適用し得る。たとえば、ＵＥは、（ＲＡＣＨプロシージャの前および後に）５０ｍｓごとに起動し得るが、Ｎ１サブフレームについて平均化する代わりに、ＵＥは、ＵＥがＲＡＣＨプロシージャの前にＮ２＞Ｎ１サブフレームにわたって平均化することを可能にするように、平均化パラメータを設定し得る。いくつかの場合には、ＵＥは、サンプリング頻度と平均化期間の両方を適応させ得る。
【００７３】
[0080]いくつかの態様によれば、測定プロシージャは、前の測定値に応じて適応され得る。たとえば、この手法は、固定デバイスのために特に有効であり得る（たとえば、地面より上のメーターデバイス対地階にあるメーターデバイス）。そのようなデバイスの設置時に、デバイスは、最も強い基地局に対する経路損失を決定するためにＲＳＲＰ測定を実行し得る。たとえば、図８Ａおよび図８Ｂに示されているように、ＵＥ８３０が、（たとえば、基地局８１０から比較的遠く離れて移動して）低いＳＮＲ状態にある場合、ＵＥは、拡張ＲＳＲＰ測定を実行し得る（たとえば、より高いサンプルレートおよび／またはより長い平均化期間）。ＵＥそれが良好なＳＮＲ状態にある場合、ＵＥは、より少ないサンプリング（および／またはより短い平均化期間）を用いてＲＳＲＰを実行し得る。
【００７４】
[0081]いくつかの態様によれば、測定プロシージャは、チャネル状態に応じて適応され得る。一例として、ＵＥは、チャネル状態に応じてＲＳＲＰ測定を適応させ得る。良好なカバレージ中のＵＥの場合、ＵＥは、より低い頻度でＲＳＲＰ測定を実行し得、不良なカバレージ中のＵＥの場合、ＵＥは、より頻繁にＲＳＲＰ測定を実行し得る。
【００７５】
[0082]いくつかの場合には、チャネル状態に基づく適応は、現在または前のＲＳＲＰレベルに基づいて実行され得る。いくつかの場合には、ＲＡＣＨ送信パラメータは、ＲＳＲＰレベルの異なる範囲に対応する、異なる量子化レベルにスプリットされる可能性があり得る。たとえば、パラメータセット１は、−２０ｄＢ＜ＲＳＲＰ＜−１５ｄＢのために使用され、パラメータセット２は、−１５ｄＢ＜ＲＳＲＰ＜−１０ｄＢのために使用され得る、などである。
【００７６】
[0083]いくつかの態様によれば、ＵＥが、十分なサンプルの後に、あるセットのための範囲の中間に近いレベル（たとえば、上述の範囲−１５ｄＢ＜ＲＳＲＰ＜−１０ｄＢの場合、−１２．５ｄＢ）を測定した場合、ＵＥは、低いサンプリングレートを用いて測定し続け得る。ＵＥが、範囲境界に近い（たとえば、同じ範囲の場合、−１５ｄＢに近い）レベルを測定した場合、ＵＥは、より良い精度を得るために、より高いサンプリングレートを用いて測定し続け、正しい送信パラメータセットを選定し得る。代替形態は、測定差異に基づく適応を有することであり得る。たとえば、高いＳＮＲ、たとえば１０ｄＢにおいて、初期測定値からの差異は、低いＳＮＲ、たとえば−１５ｄＢにおけるデバイスよりも著しく小さいことがある。
【００７７】
[0084]上記で説明されたように、本開示の態様は、ＵＥにおいて、（たとえば、ＲＡＣＨプロシージャを実行する前に）実行されているプロシージャに基づいて、（たとえば、測定のために使用され得るサブフレームの数を増加させること、測定のために使用されるあらかじめ定義されたリソースの他にブロードキャストリソースを使用すること、より高い測定サンプリングレートおよび／またはより長い平均化を使用することによって）測定を向上させるために適用され得る技法を提供する。いくつかの場合には、向上された測定は、前の測定された／記憶された経路損失またはカバレージ情報に基づいて使用され得る。いくつかの場合には、ＵＥは、（平均化されるべき複数の測定値のうちの単一の測定値など）何らかの予備／中間測定値に基づいて、測定サンプリングレート／平均持続時間を適応させ得る。
【００７８】
[0085]本明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【００７９】
[0086]上記で説明された方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア／ファームウェア構成要素および／またはモジュールを含み得る。概して、図に示されている動作がある場合、それらの動作は、任意の好適な対応するカウンターパートのミーンズプラスファンクション構成要素によって実行され得る。
【００８０】
[0087]たとえば、決定するための手段および／または実行するための手段は、図２に示されたユーザ端末１２０の受信プロセッサ２５８および／またはコントローラ／プロセッサ２８０、ならびに／あるいは図２に示された基地局１１０の送信プロセッサ２２０および／またはコントローラ／プロセッサ２４０など、１つまたは複数のプロセッサを含み得る。受信するための手段は、図２に示されたユーザ端末１２０の受信プロセッサ（たとえば、受信プロセッサ２５８）および／または（１つまたは複数の）アンテナ２５２を備え得る。送信するための手段は、図２に示されたｅＮＢ１１０の送信プロセッサ（たとえば、送信プロセッサ２２０）および／または（１つまたは複数の）アンテナ２３４を備え得る。
【００８１】
[0088]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの組合せによって表され得る。
【００８２】
[0089]さらに、本明細書の開示に関して説明された様々な例示的な論理ブロック、モジュール、回路、およびアルゴリズムステップは、電子ハードウェア、ソフトウェア／ファームウェア、またはそれらの組合せとして実装され得ることを、当業者は諒解されよう。ハードウェアとソフトウェア／ファームウェアのこの互換性を明確に示すために、様々な例示的な構成要素、ブロック、モジュール、回路、およびステップが、概してそれらの機能に関して上記で説明された。そのような機能がハードウェアとして実装されるか、ソフトウェア／ファームウェアとして実装されるかは、特定の適用例および全体的なシステムに課される設計制約に依存する。当業者は、説明された機能を特定の適用例ごとに様々な方法で実装し得るが、そのような実装の決定は、本開示の範囲からの逸脱を生じるものと解釈されるべきではない。
【００８３】
[0090]本明細書の開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【００８４】
[0091]本明細書の開示に関して説明された方法またはアルゴリズムのステップは、直接ハードウェアで実施されるか、プロセッサによって実行されるソフトウェア／ファームウェアモジュールで実施されるか、またはそれらの組合せで実施され得る。ソフトウェア／ファームウェアモジュールは、ＲＡＭメモリ、フラッシュメモリ、ＲＯＭメモリ、ＥＰＲＯＭメモリ、ＥＥＰＲＯＭ（登録商標）メモリ、相変化メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【００８５】
[0092]１つまたは複数の例示的な設計では、説明された機能は、ハードウェア、ソフトウェア／ファームウェア、またはそれらの組合せで実装され得る。ソフトウェア／ファームウェアで実装される場合、機能は、１つまたは複数の命令またはコードとしてコンピュータ可読媒体上に記憶されるか、またはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ／ＤＶＤまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェア／ファームウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【００８６】
[0093]本開示についての以上の説明は、いかなる当業者も本開示を作成または使用することができるように与えられたものである。本開示への様々な変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
【図１】
2018509077.tif 000003
【図２】
2018509077.tif 000004
【図３】
2018509077.tif 000005
【図４】
2018509077.tif 000006
【図５】
2018509077.tif 000007
【図６】
2018509077.tif 000008
【図７】
2018509077.tif 000009
【図８Ａ】
2018509077.tif 000010
【図８Ｂ】
2018509077.tif 000011
【国際調査報告】
2018509077.tif 000012
2018509077.tif 000013
2018509077.tif 000014